(57)【特許請求の範囲】
【請求項１】
一段または上下に隔設して複数段に横架される案内レールと、該案内レールの長さ方向に沿って移動自在に複数装着され、該案内レールの長さ方向に沿って移動させることにより互いの間隔を任意に設定できる盛花用バスケットと、前面に透過照明板が設けられると共に、該透過照明板の前面に供者名表示用の透明板体からなる名札が交換可能に配され、該各盛花用バスケットに対し挿脱可能に装着される名札取付用の照明箱とを有し、
該照明箱は下部から下方に突出する差込片が該盛花用バスケットの後部に差込固定されることにより、該盛花用バスケットよりも上方位置に掲げられたことを特徴とする名札付花載台。
【請求項２】
斎場室内の壁面に凹所を設け、該凹所に請求項１に記載の名札付花載台を配置したことを特徴とする斎場。
【請求項３】
請求項２において、斎場室内の祭壇に配置された雨垂れ装置の樋の排水口には、排水流量を制限する部材が差し込まれていることを特徴とする斎場。
【発明の詳細な説明】
【０００１】
【産業上の利用分野】
本発明は、冠婚葬祭等の斎事において、シルク等の造花あるいは生花等による盛花を供えるための供者名が記された名札を有する花載台および斎場に関するものである。
【０００２】
【従来の技術】
従来、冠婚葬祭時等において、花輪等は斎場の建屋外に立て掛けたり、あるいは盛花をスタンドに載置し、これを並べたりするのが一般的であり、これらの花輪や盛花には供者名を記した名札を設けるのが一般的である。
【０００３】
【発明が解決しようとする課題】
ところで、従来においては、花輪自体が直径略１．８（６尺）乃至２．１ｍ（７尺）もあり、これを屋外壁面等に供並する場合、大変長い花輪の列を要する問題があった。
【０００４】
また、花輪を並べる作業において難しい問題の一つとして、名札に表示の氏名や名称の並ぶ順番を決定することにあり、一度決まってもその後に変更あるいは追加等の事態が生じ、短時間で並べ替える作業が大変であった。
【０００５】
一方、花輪の列が長くなると近隣住宅の邪魔ともなって、諸々の苦情の原因ともなっていた。そこで、花輪等を全て室内に設けることが行なわれているが、室内が暗いと、供者名を記した名札が暗くて見難いという問題点を有していた。
【０００６】
また、花輪の本数が多くなるとその分占有配置場所を多く必要とするため、出来る限り場所を取らないように設定したり、名札の順位を移動したりするのに熟練を要していた。
【０００７】
本出願に係る第１の発明の目的は、暗室状態の斎場内でも名札の供者名を鮮明に目立たせることができ、従来の花輪のように設置場所を取らず、供される本数により互いに間隔を自由に設定配置できるようにすると共に、名札の順位移動も簡単に行なえる名札付花載台を提供することにある。
【０００８】
本出願に係る第２の発明の目的は、盛花を有する供者名の順位が体裁よくコンパクトに納められ、所定の名札機能を十分に発揮させると共に提供者に対し十分に満足感を与えることができるような斎場を提供することにある。
【０００９】
本出願に係る第３の発明の目的は、斎場内の雰囲気を演出する水を使用した雨垂れ装置を改良することにある。
【００１０】
【課題を解決するための手段および作用】
本出願に係る第１の発明の目的を実現する構成は、請求項１に記載のように、一段または上下に隔設して複数段に横架される案内レールと、該案内レールの長さ方向に沿って移動自在に複数装着され、該案内レールの長さ方向に沿って移動させることにより互いの間隔を任意に設定できる盛花用バスケットと、前面に透過照明板が設けられると共に、該透過照明板の前面に供者名表示用の透明板体からなる名札が交換可能に配され、該各盛花用バスケットに対し挿脱可能に装着される名札取付用の照明箱とを有し、該照明箱は下部から下方に突出する差込片が該盛花用バスケットの後部に差込固定されることにより、該盛花用バスケットよりも上方位置に掲げられたことを特徴とする名札付花載台にある。
【００１１】
この構成では、盛花用バスケットの個数が多くても、また少なくても一定の長さの間に盛花用バスケットを見栄え良く配置することができ、また盛花用バスケットに設けた名札も明瞭に表示させることができ、その取り替え作業も短時間で簡単に行える。
【００１２】
本出願に係る第２の発明の目的を実現する構成は、請求項２に記載のように、斎場室内の壁面に凹所を設け、該凹所に請求項１に記載の名札付花載台を配置したことを特徴とする斎場にある。
【００１３】
この構成では、斎場に配される盛花を体裁よくコンパクトに納めることができ、斎場といった暗所においても盛花に付けられた名札の表示を明瞭に認識することができる。
【００１４】
本出願に係る第３の発明の目的を実現する構成は、請求項３に記載のように、請求項２において、斎場室内の祭壇に配置された雨垂れ装置の樋の排水口には、排水流量を制限する部材が差し込まれていることを特徴とする斎場にある。
【００１５】
この構成では、静粛性を要求される斎場において、雰囲気を演出するために使用される雨垂れ装置の排水音で荘厳な雰囲気が妨げられることがない。
【００１６】
【実施例】
（前提例）
図１は本発明の前提となる前提例示す正面図であり、図２は図１の照明箱の正面図、図３は図１の照明箱の側面図である。
【００１７】
Ｐは、冠婚葬祭時に例えばシルク等の造花あるいは生花等による盛花を供えるための供者名が記された名札を有する名札付花載台本体であり、該名札付花載台本体Ｐは、桶状の盛花用バスケット１と、該盛花用バスケット１の開口後縁部に挿脱自在に差し込まれ、適宜の蛍光灯２により名札３の供者名の文字を点灯表示させる名札取付具を兼ねる照明箱４とから成り、該盛花用バスケット１は載台スタンドＳ上に載置される。後述する本発明の第１の実施例の図５に示すように、照明箱４の差込片２１を盛花用バスケット１の開口後縁部に差し込むことにより、盛花用バスケット１よりも上方位置に照明箱４を掲げて名札３を表示できるようにしている。
【００１８】
照明箱４は、図２、図３に示す如く、前面に例えば乳白色の合成樹脂等からなる半透明板６と、前縁に開口枠７を有する縦長の暗箱の箱体８に形成され、その内底部に長手方向に沿って、グロースタータ付安定器９により点灯される細長の前記蛍光灯２を配設し、箱体８後部から張出した蛍光灯２のコンセント１０を電源用コネクター１１に差し込むようにしてある。
【００１９】
また、箱体８の前縁の開口枠７には供者名を記載した名札３を上下スライド式にて挿脱可能となるよう配され、名札３を内側から蛍光灯２により透過照明している。
【００２０】
したがって、名札３の供者名等がくっきりと表示され、暗い室内でも明瞭に認識することができる。また、供者名等の取り違いがあっても、名札３を変えれば良いだけなので、変更作業を短時間で簡単に行える。
【００２１】
（第１の実施例）
図４は本発明の第１の実施例を示す正面図であり、図５は本実施例の側面図、図６は本実施例の要部の拡大側面図、図７は本実施例の要部の拡大平面図、図８は本実施例の要部の拡大正面図である。
【００２２】
本実施例は、図４、図５に示す如く、斎場室内の壁面に面して凹所Ｑを設け、該凹所Ｑの内壁面に略平行させて上下に隔設して２段にわたり案内レール２０横架しており、この２段の案内レール２０には複数の盛花用バスケット１を左右方向へスライド自在に係架させるようにしている。
【００２３】
この案内レール２０は断面略Ｈ形状に形成され、案内レール２０の長さ方向に沿って移動自在な支持ランナー５に盛花用バスケット１の背面が固着されている。したがって、盛花用バスケット１は案内レール２０に沿って移動自在となり、複数の盛花バスケット１の間隔を任意に設定でき、例えば盛花バスケットの個数が少ない場合には間隔を広げ、また個数が多い場合には間隔を狭めて配置することができる。
【００２４】
この盛花用バスケット１にも、上記した前提例と同様に名札付の照明箱４が取外可能に装着され、例えば案内レール２０の下部凹所に設けた電源用コネクター１１から電源を取り出すようにしている。
【００２５】
なお、本実施例では、照明箱４全体を盛花用バスケット１に対して僅かに俯角（図５中角度θを例えば略９度）をもって傾けるように、照明箱４を保持する架台２２の下部から下方に差込片２１を斜めに突出させ、この差込片２１を盛花用バスケット１の後部の挿入孔２３に差込固定できるようにし、高位置にある名札３を斎場座席から視認容易としている。
【００２６】
なお、本実施例の案内レール２０は、凹所Ｑの内壁面に略平行させて２段にわたり横架させているが、本発明はこれに何等限定されることなく、例えば１段あるいは２段以上であっても良く、また凹所に設ける必要はなく、例えば案内レール２０をスタンド等で保持するようにしても良い。
【００２７】
本実施例において、支持ランナー５は、図６、図７、図８に示す如く、上下方向に長目に形成した前枠部分３０と上下方向に短目に形成した後枠部分３１とを上底部分３２を介して連設し、下方へ向けて開口させた断面略７字形状となるように支持枠３３を形成してあり、この長目に形成した前枠部分３０を前記盛花用バスケット１の背面に螺着固定させてある。
【００２８】
また、支持枠３３の上底部分３２の内面には前記案内レール２０上面を転動するよう前輪及び後輪からなる支持滑車３４を前枠部分３０と後枠部分３１との間に架設された支持軸３５を介して支承させると共に、支持枠３３の前枠部分３０の内側壁面には案内レール２０の前側面に三点支持にて当接するよう３個のボールベアリング３６Ａを前枠部分３０に形成した凹状の軸受３７Ａ内に転動自在に遊嵌させ、支持枠３３の後枠部分３１の内側壁面には案内レール２０の後側面に２点支持にて当接するよう２個のボールベアリング３６Ｂを後枠部分３１に形成した凹状の軸受３７Ｂ内に転動自在に遊嵌させてある。
【００２９】
なお、前記支持滑車３４はローラーかあるいは転がり軸受さらにはその他の転動体を採用しても良く、又、ボールベアリング３６Ａ，３６Ｂは転がり摩擦の小さいゴム、プラスチック等の合成樹脂製の球体あるいは金属球等その他の部材を採用しても良い。
【００３０】
そして、支持枠３３の前枠部分３０と後枠部分３１との夫々内壁面に付設したボールベアリング３６Ａ，３６Ｂにより夫々前記案内レール２０の前側面と後側面とを転動自在に挟持させ、前記上底部分３２内面の支持滑車３４が案内レール２０上面を転動することで、支持枠３３は案内レール２０に沿って左右方向へスライド移動できるようにしてある。
【００３１】
なお、本実施例では、支持滑車３４を支持枠３３の上底部分３２内面に案内レール２０に沿って少なくとも前輪と後輪とを並設させると共に、支持枠３３の内部側壁面に付設したボールベアリングを支持枠の前方内壁では案内レール２０前面にて三点支持され、支持枠の後方内壁では前記案内レール２０前面の三点支持された箇所以外の案内レール２０後面に２点支持されるよう配してあるが、本発明はこのような構成のみに何等制約限定されるものではないことは勿論のことである。
【００３２】
以上のように構成した本実施例の使用の一例を説明すれば、例えば図４に示す如く冠婚葬祭時の斎場内での壁面に面した凹所Ｑの内壁面に設けてある各段の夫々の案内レール２０に係架された盛花用バスケット１に生花または造花等の盛花を載せ、所定の供者名を記した名札３が取り付けられている名札取付具を兼ねた照明箱４を盛花用バスケット１に装着するか、あるいは前もって盛花用バスケット１に装着された照明箱４に所定の供者名を記した名札３を装着させるかした後、案内レール２０の梁材下部凹所に配したレール式の電源用コネクター１１に蛍光灯２のコンセント１０を差し込んで名札３を点灯させる。名札３の順位移動はこの名札３だけを取り換えれば容易に行なえる。
【００３３】
また、供される名札付花載台Ｐの本数に応じて盛花用バスケット１同士の間隔を狭めたり拡げたりする場合には、支持ランナー５を案内レール２０上に沿ってスライドさせることで自由にその設定が容易且つスムーズに行なえる。
【００３４】
（第２の実施例）
上記した第１の実施例において、斎場には凹所Ｑが設けられ、そこには複数個の盛花用バスケット１が一段または複数段に並んだ状態で配置される。
【００３５】
そして、この斎場の祭壇には、斎場の雰囲気を演出するための雨垂れ装置が配置され、天井付近より列をなして糸状の水がその下方のに配置された、図９に示す樋Ｔに落ちるようになっている。
【００３６】
この樋Ｔには排水口４０が設けられ、排水されるようになっているが、この排水口４０には、スリット筒４１が装着され、排水が一度に排水口４０から排水される際に生じる渦流等によって生じる排水音が出ないようにしている。
【００３７】
すなわち、スリット筒４１は、筒本体４２の壁部に長さ方向に沿って複数ケ所にスリット４３が形成されているので、排水はこのスリット４３からのみ流れ出ることになり、排水流量が制限されて上記した排水音が出ないこととなる。
【００３８】
【発明の効果】
請求項１に記載の発明によれば、盛花用バスケットの個数が多くても、また少なくても一定の長さの間に盛花用バスケットを見栄え良く配置することができ、また盛花用バスケットに設けた名札も明瞭に表示させることができ、その取り替え作業も短時間で簡単に行える。
【００３９】
請求項２に記載の発明によれば、斎場に配される盛花を体裁よくコンパクトに納めることができ、斎場といった暗所においても盛花に付けられた名札の表示を明瞭に認識することができる。
【００４０】
請求項３に記載の発明によれば、静粛性を要求される斎場において、雰囲気を演出するために使用される雨垂れ装置の排水音で荘厳な雰囲気が妨げられることがない。
【図面の簡単な説明】
【図１】  本発明の前提例を示した全体正面図。
【図２】  図１の照明箱の全体正面図。
【図３】  図１の照明箱の一部断面を示す全体側面図。
【図４】  本発明の第１の実施例を示した全体正面図。
【図５】  図４のＸ−Ｘ線断面図。
【図６】  図５の支持ランナーと案内レールの要部の拡大断面図。
【図７】  図６の支持ランナー要部を示す縦断側面図。
【図８】  図７の支持ランナーの平面図。
【図９】  本発明の第２の実施例を示す斜視図。
【符号の説明】
Ｐ…名札付花載台本体                    Ｑ…凹所
Ｓ…スタンド                            １…盛花用バスケット
２…蛍光灯                              ３…名札
４…照明箱                              ５…支持ランナー
２０…案内レール                        ３０…前枠部分
３１…後枠部分                          ３２…上底部分
３３…支持枠                            ３４…支持滑車
３６Ａ，３６Ｂ…ボールベアリング
Ｔ…樋                                  ４０…排水口
４１…スリット筒                        ４２…筒本体
４３…スリット
【図１】
0003806154.tif 000002
【図２】
0003806154.tif 000003
【図３】
0003806154.tif 000004
【図４】
0003806154.tif 000005
【図５】
0003806154.tif 000006
【図６】
0003806154.tif 000007
【図７】
0003806154.tif 000008
【図８】
0003806154.tif 000009
【図９】
0003806154.tif 000010